(57)【要約】      （修正有）【課題】高速に組み付けでき且つ局部的に脱着交換のできるＬＥＤ光源基盤の構造を提供する。【解決手段】ＬＥＤ光源基盤の構造において、電気回路板１を含み、前記電気回路板の上に複数の収容穴１１を開設し、且つ各収容穴の両側にそれぞれ導電極１２及びホール１３を設置し、又各収容口両側の導電極は並列方式で正極及び負極に接続され、且つ電気回路板の下側に放熱板４が設置され、前記放熱板の上には複数のネジ穴が開設され、又発光モジュール２を両側の電極片２２によって収容口の導電極と接触させ、且つ両電極片によって発光モジュールを収容口に架設し、更に位置決め板をその上にある開孔３１を通して発光モジュールに嵌合させ、締め付け部品５によって位置決め板３及び電気回路板のホールへ差込み、放熱板のネジ穴へ締め付けることによって、発光モジュールを電気回路板に限定して固定する。【選択図】図１
0003155868.tif 000002
【実用新案登録請求の範囲】
【請求項１】
ＬＥＤ光源基盤の構造であって、
電気回路板と、少なくとも一個以上の発光モジュールと、少なくとも一個以上の位置決め板、及び放熱板を少なくとも含み、
前記電気回路板の上に少なくとも一個以上の収容穴を開設し、該収容穴の両側にはそれぞれ導電極を設置し、該導電極の片方にはネジ穴を開設してあり、
前記少なくとも一個以上の発光モジュールの上に少なくとも一個以上のホールを開設し、該発光モジュールの両側にはそれぞれ電極片を延伸し、且つ該電極片は電気回路板の収容穴の導電極と対応するように設置され、該発光モジュールは、電極片によって電気回路板の収容口に架設され、
前記少なくとも一個以上の位置決め板の上に開孔を開設し、該開孔の両側にはそれぞれホールを設置し、該ホールは電気回路板の収容穴のネジ穴と対応するように設置され、前記位置決め板の開孔は発光モジュールの上端に嵌合可能であり、
前記放熱板の上に電気回路板及び発光モジュールとそれぞれ対応するネジ穴を開設し、前記放熱板は電気回路板の下側に設置され、
前記発光モジュール及び位置決め板のホールに締め付け部品を差し込み、且つ放熱板の各ネジ穴に締め付けて、該発光モジュールを固定していることを特徴とする、ＬＥＤ光源基盤の構造。
【請求項２】
前記電気回路板の上に反射層を敷設してあることを特徴とする請求項１に記載のＬＥＤ光源基盤の構造。
【請求項３】
前記電気回路板の上に電気回路を敷設し、前記発光モジュールを複数並列接続したことを特徴とする請求項１に記載のＬＥＤ光源基盤の構造。
【請求項４】
前記位置決め板の上に反射層を敷設してあることを特徴とする請求項１に記載のＬＥＤ光源基盤の構造。
【考案の詳細な説明】
【技術分野】
【０００１】
本考案は、ＬＥＤ光源基盤の構造、特に、高速に組み付けでき且つ局部的に脱着交換のできるＬＥＤ光源基盤の構造に関するものである。
【背景技術】
【０００２】
現在、照明灯具は、既にそれぞれの生活の場に幅広く応用されており、人々は、主として照明灯具の照明によって、夜間の読書或いは室内照明などの用途に対応している。
【０００３】
今日では、ＬＥＤランプによって高輝度照明の目的を達成できるため、大多数の人達がＬＥＤランプを照明に使っている。しかしながら、市場に販売されているＬＥＤランプの設置形式は、大多数が全てのＬＥＤランプを同一の電気回路板の上に設置しているので、ＬＥＤランプのうちの一個が壊れて交換する必要が出た場合、一組全部を取り替えなければならず、消費者にとっては、もう一度電気回路板を買い換えなければならず、余計な費用もかかり甚だ不便である。
【０００４】
これによって分かるように、上述従来の方式には、尚幾多の欠点があり、よい設計とは言いがたく、改良が待たれていた。
【考案の概要】
【考案が解決しようとする課題】
【０００５】
本考案の目的は、高速に組み付けでき、且つ局部的に脱着交換のできるＬＥＤ光源基盤の構造を提供することにある。
【０００６】
本考案のもう一つの目的は、構造が簡単で、操作が簡易な、且つ高速に脱着できるＬＥＤ光源基盤の構造を提供することにある。
【課題を解決するための手段】
【０００７】
上述の目的を達成できるＬＥＤ光源基盤の構造は、主として、電気回路板と、放熱板と、発光モジュール及び位置決め板などの構成部品によって組成される。前記電気回路板には、複数の収容穴が開設され、且つ各収容穴の両側にそれぞれ導電極及びホールが設置されると共に、電気回路板の上には、電気回路を敷設することによって、各収容穴両側の導電極が正極及び負極に並列されるようにしてあり、そして、前記電気回路板の下方に複数のネジ穴を開設した放熱板を設け、更に両側から延伸した電極片によって収容穴の導電極に発光モジュールを架設することによって、両導電極と両電極片を接触させ、且つ発光モジュールの上に複数のホールを開設し、最後に、位置決め板をその上にある開孔を通して発光モジュールに嵌合し、又複数の締め付け部品によって位置決め板及び発光モジュールのホールに差し込み、且つ電気回路板の各ネジ穴に締め付けて、発光モジュールを固定する。上述各構成部品の組成によって、本件ＬＥＤ光源基盤の構造を形成する。
【０００８】
すなわち、本願の第１考案は、ＬＥＤ光源基盤の構造であって、電気回路板と、少なくとも一個以上の発光モジュールと、少なくとも一個以上の位置決め板、及び放熱板を少なくとも含み、前記電気回路板の上に少なくとも一個以上の収容穴を開設し、該収容穴の両側にはそれぞれ導電極を設置し、該導電極の片方にはネジ穴を開設してあり、前記少なくとも一個以上の発光モジュールの上に少なくとも一個以上のホールを開設し、該発光モジュールの両側にはそれぞれ電極片を延伸し、且つ該電極片は電気回路板の収容穴の導電極と対応するように設置され、該発光モジュールは、電極片によって電気回路板の収容口に架設され、前記少なくとも一個以上の位置決め板の上に開孔を開設し、該開孔の両側にはそれぞれホールを設置し、該ホールは電気回路板の収容穴のネジ穴と対応するように設置され、前記位置決め板の開孔は発光モジュールの上端に嵌合可能であり、前記放熱板の上に電気回路板及び発光モジュールとそれぞれ対応するネジ穴を開設し、前記放熱板は電気回路板の下側に設置され、前記発光モジュール及び位置決め板のホールに締め付け部品を差し込み、且つ放熱板の各ネジ穴に締め付けて、該発光モジュールを固定していることを特徴とする、ＬＥＤ光源基盤の構造を要旨とするものである。
また、本願の第２考案は、前記電気回路板の上に反射層を敷設してあることを特徴とする前記第１考案に記載のＬＥＤ光源基盤の構造を要旨とするものである。
また、本願の第３考案は、前記電気回路板の上に電気回路を敷設し、前記発光モジュールを並列接続したことを特徴とする前記第１考案に記載のＬＥＤ光源基盤の構造を要旨とするものである。
また、本願の第４考案は、前記位置決め板の上に反射層を敷設してあることを特徴とする前記第１考案に記載のＬＥＤ光源基盤の構造を要旨とするものである。
【考案の効果】
【０００９】
本考案に係るＬＥＤ光源基盤の構造は、その他従来の技術に比べ、更に下記のような長所がある、
（１）本考案は、高速に組み付けでき、且つ局部的に脱着・交換のできるＬＥＤ光源基盤の構造を提供する。
（２）本考案は、電気回路板の上の収容穴ならびに位置決め板を組み合わせる設置によって、製造工程において大幅に組み立て時間を短縮し、且つ高速に位置決め及び脱着の目的を達成できる。
（３）本考案は、発光モジュールをそれぞれ別々に電気回路板の収容穴に位置決めしているため、数個の発光モジュールが損壊した場合、単独に損壊した発光モジュールのみを取り外すだけでよく、従来方式のように一組全部を交換する必要がなく、余計な費用を節約することができる。
（４）本考案は、構造が簡単で、操作が簡易且つ高速に脱着できる。
【図面の簡単な説明】
【００１０】
【図１】本考案に係るＬＥＤ光源基盤の斜視分解図である。
【図２】前記ＬＥＤ光源基盤の斜視結合図である。
【図３】前記ＬＥＤ光源基盤の実施応用図である。
【図４】前記ＬＥＤ光源基盤のもう一つ別の実施例図である。
【考案を実施するための形態】
【００１１】
図１及び図２は、本考案に係るＬＥＤ光源基盤構造の斜視分解図及び結合図であり、主として、電気回路板１と、少なくとも一個以上の発光モジュール２と、少なくとも一個以上の位置決め板３と、放熱板４と、を含む。
【００１２】
前記電気回路板１の上には、少なくとも一個以上の収容穴１１を開設し、且つ収容穴１１の両側にそれぞれ導電極１２を設け、又導電極１２の片側にネジ穴１３を開設し、更に電気回路板の上に電気回路１４を敷設することによって、各収容穴１１両側の導電極１２を並列方式で正極及び負極に並列させ、更に反射層１５を電気回路板１の表面に敷設する。
【００１３】
前記少なくとも一個以上の発光モジュール２には、少なくとも一個以上のホール２１を開設し、更に発光モジュール２の両側にそれぞれ電極片２２を延伸し、且つ前記電極片２２は、電気回路板１の収容穴１１の導電極１２と対応設置されている。前記発光モジュール２は、電極片２２によって電気回路板１の収容穴に架設されることによって、両導電極１２と両導電極片２２を接触させている。
【００１４】
前記少なくとも一個以上の位置決め板３には、開孔３１が開設され、且つ開孔３１の両側にそれぞれホール３２が設置され、又前記ホール３２は電気回路板１の収容穴１１のネジ穴１３と対応設置され、更に反射層３３を位置決め板３の表面に敷設してある。前記位置決め板３の開孔は発光モジュール２の上端に嵌合される。
【００１５】
前記放熱板４の上にそれぞれ電気回路板１及び発光モジュール２と対応するネジ穴４１が開設されている。前記放熱板４は、電気回路板１の下側に設置され、且つ複数の締め付け部品５によって発光モジュール２及び位置決め板３のホール２１・３２の中に差込まれ、且つ放熱板４の各ネジ穴４１にねじ込まれ、発光モジュール２を固定している。
【００１６】
前記各構成部品の組成によって、本件ＬＥＤ光源基盤の構造を形成する。
電気回路板１の収容穴１１及び位置決め板３の設置によって、製造工程において大幅に組み付け時間を短縮でき、且つ高速に位置決め或いは脱着の目的を達成できる。
また、発光モジュール２は、それぞれ別々に電気回路板１の収容穴１１に位置決めされているため、複数の発光モジュール２の中の一部分が損壊した場合、単独に損壊した発光モジュール２のみを取り換えるだけで済み、従来の方式のように一組全部を交換する必要がなく、余計な購入費用を節約することができる。
【００１７】
図３は、前記ＬＥＤ光源基盤構造の実施応用図である。本例はオフィス内の照明灯具６に実施応用されたもので、本考案品が発光した場合、その上に敷設された反射層１５・３３によって、光源を効果的に散光させ、均衡に照明する効果を得ることができる。
【００１８】
図４は、前記ＬＥＤ光源基盤構造の別の実施例図であり、需要に応じて位置決め板３の上に、開孔３１を２個または３個、或いは４個開設してもよく、同様に高速に位置決め及び脱着可能な効果を得ることができる。
【００１９】
前記放熱板４の形式は、放熱フィン状或いはその他の放熱体であってもよい。
【００２０】
上記の詳細な説明は、本考案の実行可能な実施例についての具体的説明であり、但し、これらの実施例は、本考案の実用新案登録請求の範囲を制限するものではなく。本考案の技芸精神を逸脱せずになされる等価実施或いは変更は、全て本考案の請求範囲に含まれるものとする。
【符号の説明】
【００２１】
１  電気回路板
１１  収容穴
１２  導電極
１３  ホール
１４  電気回路
１５  反射層
２  発光モジュール
２１  ホール
２２  電極片
３  位置決め板
３１  開孔
３２  ホール
３３  反射層
４  放熱板
４１  ネジ穴
５  締め付け部品
６  照明灯具
【図１】
0003155868.tif 000003
【図２】
0003155868.tif 000004
【図３】
0003155868.tif 000005
【図４】
0003155868.tif 000006